(57)【要約】【課題】顧客による商品のチェックアウト作業の効率化と店員によるハウジング内部の装置に対する作業の効率化とを図りつつ、セルフチェックアウト端末の設置面積の縮小化を実現する。【解決手段】セルフチェックアウト端末１０１は、商品コードの入力に用いる登録操作ユニット２０１の横並びにそれよりも高さ寸法が小さい秤ユニット３０１が配置され、この秤ユニット３０１の後側にそれよりも高さ寸法が大きい決済操作ユニット４０１が配置されて構成される。決済操作ユニット４０１の前方には、買物袋６５１を開口状態で位置付けることが可能で、顧客は、商品コード入力後の商品をその中に投入することができる。この空間に位置付けられる買物袋６５１を開口状態で取り付ける右側袋掛部材３０６ａ及び左側袋掛部材３０６ｂは、決済操作ユニット４０１内の各装置に対する作業のためのフロントパネル４０４の開閉に干渉しない位置に退避させることができる。【選択図】図１
2010033381.tif 000002
【特許請求の範囲】
【請求項１】
商品を特定する商品コードの入力操作を行うための商品コード入力部を備える操作ブロックと、
前記操作ブロックに対し高さ寸法が小さく形成され前記操作ブロックに横並びで配置され、前記商品コード入力部による商品コード入力後の商品を載置するための商品載置部を上面に備える載置ブロックと、
前記載置ブロックの後ろ側に並べて配置され、前記載置ブロックに対し高さ寸法が大きく形成され前記商品コード入力後の商品の現金決済を可能にする紙幣入出金装置及び縦型リサイクル式の硬貨入出金装置を内蔵可能なハウジングと、前記ハウジングの前面で前記載置ブロックに隠されない高さ位置に設けられる開口部と、前記ハウジングに垂直軸回りに回動自在に取り付けられ前記開口部を開閉するフロントパネルと、を備える決済ブロックと、
前記商品載置部上で商品コード入力後の商品を収納できるよう買物袋を開口させて保持する保持機構を有する買物袋保持部と、
前記買物袋保持部を、前記フロントパネルの開閉に干渉しないよう前記載置ブロックの商品載置部に当接するまで回動自在に当該載置ブロックに取り付ける第１取付機構と、
操作者の操作によって前記買物袋保持部の回動変位を選択的にロック又はアンロックする操作機構と、
を備えるセルフチェックアウト端末。
【請求項２】
前記買物袋保持部を立設させる位置に位置決めする位置決め機構を備える、請求項１記載のセルフチェックアウト端末。
【請求項３】
商品を特定する商品コードの入力操作を行うための商品コード入力部を備える操作ブロックと、
前記操作ブロックに対し高さ寸法が小さく形成され前記操作ブロックに横並びで配置され、前記商品コード入力部による商品コード入力後の商品を載置するための商品載置部を上面に備える載置ブロックと、
前記載置ブロックの後ろ側に並べて配置され、前記載置ブロックに対し高さ寸法が大きく形成され前記商品コード入力後の商品の現金決済を可能にする紙幣入出金装置及び縦型リサイクル式の硬貨入出金装置を内蔵可能なハウジングと、前記ハウジングの前面で前記載置ブロックに隠されない高さ位置に設けられる開口部と、前記ハウジングに垂直軸回りに回動自在に取り付けられ前記開口部を開閉するフロントパネルと、を備える決済ブロックと、
前記商品載置部上で商品コード入力後の商品を収納できるよう買物袋を開口させて保持する保持機構を有する買物袋保持部と、
前記買物袋保持部を、前記フロントパネルの開閉に干渉しない前記載置ブロックの商品載置部の前方位置まで当該載置ブロックの幅方向に延びる水平軸回りに回動自在に当該載置ブロックに取り付ける第２取付機構と、
を備えるセルフチェックアウト端末。
【請求項４】
商品を特定する商品コードの入力操作を行うための商品コード入力部を備える操作ブロックと、
前記操作ブロックに対し高さ寸法が小さく形成され前記操作ブロックに横並びで配置され、前記商品コード入力部による商品コード入力後の商品を載置するための商品載置部を上面に備える載置ブロックと、
前記載置ブロックの後ろ側に並べて配置され、前記載置ブロックに対し高さ寸法が大きく形成され前記商品コード入力後の商品の現金決済を可能にする紙幣入出金装置及び縦型リサイクル式の硬貨入出金装置を内蔵可能なハウジングと、前記ハウジングの前面で前記載置ブロックに隠されない高さ位置に設けられる開口部と、前記ハウジングに垂直軸回りに回動自在に取り付けられ前記開口部を開閉するフロントパネルと、を備える決済ブロックと、
前記商品載置部上で対向配置され、商品コード入力後の商品を収納できるよう買物袋を開口させて保持する保持機構を有する一対の買物袋保持部と、
前記フロントパネルの開閉に干渉しないよう一方の前記買物袋保持部を他方の前記買物袋保持部に向けてスライド自在に、当該買物袋保持部を前記載置ブロックに取り付ける第３取付機構と、
を備えるセルフチェックアウト端末。
【発明の詳細な説明】
【技術分野】
【０００１】
本発明は、スーパーマーケット等の店舗に設置され、顧客が自ら操作を行って購入商品のチェックアウトを行うことができるセルフチェックアウト端末に関する。
【背景技術】
【０００２】
スーパーマーケット等の店舗には、顧客が自ら操作を行って購入商品のチェックアウトを行うことができるセルフチェックアウト端末が導入されている。セルフチェックアウト端末は、少なくとも、商品を特定する商品コードの入力操作を行うための商品コード入力部と、商品コード入力後の商品の決済を実現する決済部とを備え、これらを顧客に操作させることによって、顧客による商品のチェックアウトを実現している。そして、セルフチェックアウト端末には、顧客がなるべく少ない動きで購入商品のチェックアウトを完了できるよう、様々な工夫がなされている。
【０００３】
一例として、特許文献１に記載のセルフサービス・チェックアウト装置では、商品コード入力部に相当しカウンタ１４上面に設けられるレーザー・スキャナ／スケール１６と、決済部に相当する貨幣受付けモジュール２２や自動金銭受け払い機（ＡＴＭ）２０等の各決済装置とが、顧客に対面する向きに向けられ、このＡＴＭ２０の手前側下方にプラスチック製のバッグ３２’を位置付ける窪み３０が設けられている。顧客は、セルフサービス・チェックアウト装置１０の左脇にカート７２を位置付けてそこから商品を取り出し、カウンタ１４の上方を通過させレーザー・スキャナ／スケール１６を経由させた後にバッグ３２’に入れることができるようになっている。
【０００４】
【特許文献１】特開平１０−６９５７４号公報（段落番号００１０、００１２、００３１、及び、図１）
【発明の開示】
【発明が解決しようとする課題】
【０００５】
従来、セルフチェックアウト端末に関して、店舗に設置する場合の占有面積を縮小することが求められている。これを実現する一策として、縦型のリサイクル式の硬貨入出金装置を用い、この硬貨入出金装置と紙幣入出金装置とレシートプリンタとを縦長のハウジングに納めて決済ブロックを形成することが考えられる。そして、その決済ブロックの前面側に買物袋保持部を上面に備えた載置ブロックを設置することで、買物袋保持部にセットされた買物袋に商品コード入力後の全商品を投入した顧客が顔を上げるだけでその場で商品の決済ができるようになる。つまり、セルフチェックアウト端末は、縦長形状のハウジングを有する決済ブロックと、その前面側に設置される載置ブロックとを備えることによって、セルフチェックアウト端末の設置面積の縮小化と顧客による商品のチェックアウト作業の効率化とが同時に実現される。
【０００６】
また、セルフチェックアウト端末では、店員が、紙幣入出金装置や硬貨入出金装置に対する紙幣や硬貨の回収及び補充の作業、これらの装置の保守メンテナンス作業等の、ハウジング内部の装置に対する作業をセルフチェックアウト端末の裏面側や側面側に回りこむことなく前面側から行えるよう、決済ブロックのハウジングの前面で載置ブロックに隠されない高さ位置に開口部を設け、その開口部を開閉するフロントパネルをハウジングに垂直軸回りに回動自在に取り付けることが考えられる。このようにすることで、店員は、フロントパネルを回動して開口部を開放し、前面側から上記の作業を行うことができるようになる。そして、この開口部が大きければ大きいほど、店員は上記の作業を行いやすい。
【０００７】
ところが、顧客の体型に応じ、顧客が硬貨や紙幣を投入するのに適した高さや、顧客が商品コード入力後の商品を袋詰するのに適した高さが必然的に定まり、そのために決済ブロック内で位置付けられる硬貨入出金装置や紙幣入出金装置の高さ位置や、載置ブロック上面に設けられる買物袋取付部の高さ位置には、制約が生じる。さらには、顧客による商品のチェックアウト作業の効率化を図るべく決済ブロックの前面側に載置ブロックを配置した場合、この載置ブロックの上面に設けられた買物袋保持部が決済ブロックの前面に設けられたフロントパネルの開閉に干渉してしまう。このため、フロントパネルは、その開閉が買物袋保持部に干渉されない高さ位置に取り付けられることになり、それ故に、決済ブロックのハウジング前面の開口部は小さく形成され、結果として、店員はハウジング内部の装置に対する作業が行いにくくなるという問題がある。
【０００８】
この点、特許文献１に記載の技術は、貨幣受付けモジュール２２や自動金銭受け払い機（ＡＴＭ）２０等の各決済装置や、プラスチック製のバッグ３２’がいずれも前面側に向けられていて、顧客による商品のチェックアウト作業の効率化を図ることができるものである。しかし、特許文献１には、セルフサービス・チェックアウト装置のコイン・ディスペンサ・モジュール２４の側面から窪み３０に向けて水平にレール３４が取り付けられていて、プラスチック製のバッグ３２’を吊り下げる以外の窪み３０の用途、コイン・ディスペンサ・モジュール２４と窪み３０との関係性、及び、コイン・ディスペンサ・モジュール２４に内蔵された機器の保守の方法等に関する記載がない。従って、特許文献１に記載の技術では、店員によるハウジング内部の装置に対する保守メンテナンス等の作業の効率化は図れない。
【０００９】
本発明は、以上の点を鑑みてなされたものであり、顧客による商品のチェックアウト作業の効率化と店員によるハウジング内部の装置に対する作業の効率化とを図りつつ、セルフチェックアウト端末の設置面積の縮小化を実現することを目的とする。
【課題を解決するための手段】
【００１０】
本発明のセルフチェックアウト端末は、商品を特定する商品コードの入力操作を行うための商品コード入力部を備える操作ブロックと、前記操作ブロックに対し高さ寸法が小さく形成され前記操作ブロックに横並びで配置され、前記商品コード入力部による商品コード入力後の商品を載置するための商品載置部を上面に備える載置ブロックと、前記載置ブロックの後ろ側に並べて配置され、前記載置ブロックに対し高さ寸法が大きく形成され前記商品コード入力後の商品の現金決済を可能にする紙幣入出金装置及び縦型リサイクル式の硬貨入出金装置を内蔵可能なハウジングと、前記ハウジングの前面で前記載置ブロックに隠されない高さ位置に設けられる開口部と、前記ハウジングに垂直軸回りに回動自在に取り付けられ前記開口部を開閉するフロントパネルと、を備える決済ブロックと、前記商品載置部上で商品コード入力後の商品を収納できるよう買物袋を開口させて保持する保持機構を有する買物袋保持部と、前記買物袋保持部を、前記フロントパネルの開閉に干渉しないよう前記載置ブロックの商品載置部に当接するまで回動自在に当該載置ブロックに取り付ける第１取付機構と、操作者の操作によって前記買物袋保持部の回動変位を選択的にロック又はアンロックする操作機構と、を備える。
【００１１】
別の面から見た本発明のセルフチェックアウト端末は、商品を特定する商品コードの入力操作を行うための商品コード入力部を備える操作ブロックと、前記操作ブロックに対し高さ寸法が小さく形成され前記操作ブロックに横並びで配置され、前記商品コード入力部による商品コード入力後の商品を載置するための商品載置部を上面に備える載置ブロックと、前記載置ブロックの後ろ側に並べて配置され、前記載置ブロックに対し高さ寸法が大きく形成され前記商品コード入力後の商品の現金決済を可能にする紙幣入出金装置及び縦型リサイクル式の硬貨入出金装置を内蔵可能なハウジングと、前記ハウジングの前面で前記載置ブロックに隠されない高さ位置に設けられる開口部と、前記ハウジングに垂直軸回りに回動自在に取り付けられ前記開口部を開閉するフロントパネルと、を備える決済ブロックと、前記商品載置部上で商品コード入力後の商品を収納できるよう買物袋を開口させて保持する保持機構を有する買物袋保持部と、前記買物袋保持部を、前記フロントパネルの開閉に干渉しない前記載置ブロックの商品載置部の前方位置まで当該載置ブロックの幅方向に延びる水平軸回りに回動自在に当該載置ブロックに取り付ける第２取付機構と、を備える。
【００１２】
別の面から見た本発明のセルフチェックアウト端末は、商品を特定する商品コードの入力操作を行うための商品コード入力部を備える操作ブロックと、前記操作ブロックに対し高さ寸法が小さく形成され前記操作ブロックに横並びで配置され、前記商品コード入力部による商品コード入力後の商品を載置するための商品載置部を上面に備える載置ブロックと、前記載置ブロックの後ろ側に並べて配置され、前記載置ブロックに対し高さ寸法が大きく形成され前記商品コード入力後の商品の現金決済を可能にする紙幣入出金装置及び縦型リサイクル式の硬貨入出金装置を内蔵可能なハウジングと、前記ハウジングの前面で前記載置ブロックに隠されない高さ位置に設けられる開口部と、前記ハウジングに垂直軸回りに回動自在に取り付けられ前記開口部を開閉するフロントパネルと、を備える決済ブロックと、前記商品載置部上で対向配置され、商品コード入力後の商品を収納できるよう買物袋を開口させて保持する保持機構を有する一対の買物袋保持部と、前記フロントパネルの開閉に干渉しないよう一方の前記買物袋保持部を他方の前記買物袋保持部に向けてスライド自在に、当該買物袋保持部を前記載置ブロックに取り付ける第３取付機構と、を備える。
【発明の効果】
【００１３】
本発明によれば、顧客により商品のチェックアウト作業が行われる間には決済ブロック前方の空間領域を買物袋の設置用空間として活用できて顧客による商品のチェックアウト作業の効率化が図ることができ、また、店員がハウジング内部の装置に対する作業を行う際には買物袋保持部をフロントパネルの開閉に干渉しない位置に位置付けて決済ブロック前方の空間領域をフロントパネルの回動のために活用できてハウジング前面の開口部を大きく形成することが可能になり、従って、顧客による商品のチェックアウト作業の効率化と店員によるハウジング内部の装置に対する作業の効率化とを図りつつ、この決済ブロック前方の空間領域を複数用途で活用することでセルフチェックアウト端末の設置面積の縮小化を実現することができる。
【発明を実施するための最良の形態】
【００１４】
本発明の実施の一形態（第一の実施の形態）について、図１ないし図６に基づいて説明する。
【００１５】
図１は、セルフチェックアウト端末１０１を示す斜視図である。セルフチェックアウト端末１０１は、操作ブロックとしての登録操作ユニット２０１と、載置ブロックとしての秤ユニット３０１と、決済ブロックとしての決済操作ユニット４０１とが一つに集合して構成される。これらの各ユニットは連結されて、単一の全体ハウジング１０２を形成している。
【００１６】
登録操作ユニット２０１について、図１に基づいて説明する。登録操作ユニット２０１は、概ね直方体形状をした第１のハウジング２０２を有している。第１のハウジング２０２は、幅寸法に対し奥行き寸法を大きく形成されており、その前方側の上面には平坦面２０２ａが形成され、その後方位置から上方に向けて立ち上がっていて前面側を向く斜面２０２ｂが形成され、後方側の上面にも平坦面２０２ｃが形成されている。この平坦面２０２ｃには、警告ポール２０９が立設されている。警告ポール２０９は、セルフチェックアウト端末１０１のエラー発生時、エラーの発生をその点滅等によって報知する。また、第１のハウジング２０２の左側側面には、顧客が購入しようとする商品コード入力前の商品を載置するための商品載置台２０７が突設されている。
【００１７】
登録操作ユニット２０１は、第１のハウジング２０２の前方側の平坦面２０２ａに計量台２０３を配置するスケール（図示せず）を内蔵する。このスケールは、計量台２０３に載置された商品の重量を計量するために用いられる。また、第１のハウジング２０２の斜面２０２ｂには、平面ガラス状の読取面２０４ａを介してコードシンボルを光学的に読み取る商品コード入力部としてのスキャナ２０４が配置されている。このコードシンボルは、商品を特定するための商品コードがシンボル化されたもので、店舗で販売されている各商品に付されているものである。さらに、第１のハウジング２０２の斜面２０２ｂには、スキャナ２０４より上方に位置させて、ディスプレイ２０５も配置されている。このディスプレイ２０５は、例えば液晶表示装置であり、その表示面にはタッチパネル２０６が積層配置されている。ディスプレイ２０５及びタッチパネル２０６は、セルフチェックアウト端末１０１の使用者がセルフチェックアウト端末１０１に対する操作を行うためのユーザインタフェイスとして機能する。
【００１８】
次いで、秤ユニット３０１について、図１に基づいて説明する。秤ユニット３０１は、略直方体形状をした第２のハウジング３０２を有していて、登録操作ユニット２０１に横並びで配置されている。第２のハウジング３０２の奥行き寸法は、登録操作ユニット２０１の第１のハウジング２０２の奥行き寸法の略半分程度である。第２のハウジング３０２の高さ寸法は、第１のハウジング２０２よりも小さく形成されており、より詳細には、第１のハウジング２０２の前方側の平坦面２０２ａの高さ寸法の略半分程度である。
【００１９】
秤ユニット３０１は、上面に、計量台３０３を備えている。計量台３０３には、登録操作ユニット２０１のスキャナ２０４でコードシンボルが読み取られることによって商品コードが入力された商品が載置される。すなわち、計量台３０３は、商品コード入力後の商品を載置するための商品載置部としての役割を果たす。また、この計量台３０３に載置された商品は、秤装置（図示せず）に計量される。秤装置は、第２のハウジング３０２に内蔵されており、計量台３０３に載置された商品の重量を計量してその測定値を出力する。出力された測定値は、この商品の重量がスキャナ２０４で読み取られた商品の重量と一致するかどうかを判定する重量チェック処理のために用いられる。重量チェック処理は、秤ユニット３０１に内蔵されるコンピュータ構成のコントローラ（図示せず）が実行する。このコントローラは、セルフチェックアウト端末１０１の各部の制御も司る。
【００２０】
計量台３０３の上面には、買物袋保持部としての右側袋掛部材３０６ａ及び左側袋掛部材３０６ｂが対向配置して設けられている。図１中、右側袋掛部材３０６ａ及び左側袋掛部材３０６ｂには、買物袋６５１が開口状態で取り付けられている。右側袋掛部材３０６ａ及び左側袋掛部材３０６ｂの構造の詳細については、図４に基づいて後述する。
【００２１】
次いで、決済操作ユニット４０１について、図１に基づいて説明する。決済操作ユニット４０１は、秤ユニット３０１の後ろ側に並べて前後方向に連結した状態で使用されるものである。決済操作ユニット４０１は、背が高い直方体形状を有する第３のハウジング４０２を有している。ここで、本実施の形態の第３のハウジング４０２は、特許請求の範囲に言うところの「ハウジング」に相当する。この第３のハウジング４０２の高さ寸法は、秤ユニット３０１の第２のハウジング３０２よりも大きく形成されている。また、第３のハウジング４０２の幅寸法は、秤ユニット３０１の第２のハウジング３０２の幅寸法と同一である。また、第３のハウジング４０２の奥行き寸法は、秤ユニット３０１と決済操作ユニット４０１とが連結された状態の奥行き寸法が登録操作ユニット２０１の奥行き寸法と略一致するよう設定されている。
【００２２】
決済操作ユニット４０１の第３のハウジング４０２は、前面側が開口しており、そこには開口部４５０（図２及び図３参照）が設けられている。そして、第３のハウジング４０２の前面には、開口部４５０を開閉するフロントパネル４０４が配置されている。フロントパネル４０４は、第３のハウジング４０２に垂直軸回りに回動自在に取り付けられていて、開口部４５０を開閉する。
【００２３】
第３のハウジング４０２の内部には、硬貨入出金装置４０５（図２参照）が第３のハウジング４０２の内部右側に、紙幣入出金装置４０６（図３参照）が第３のハウジング４０２の内部左側下方に、レシートプリンタ（図示せず）が第３のハウジング４０２の内部左側上方に、それぞれ内蔵されて配置されている。そして、フロントパネル４０４は、硬貨入出金装置４０５と紙幣入出金装置４０６とレシートプリンタとを別々に覆い隠すよう、三つのパネルによって構成されている。より詳細に言えば、フロントパネル４０４は、硬貨入出金装置４０５の前方に位置付けられる第１のフロントパネル４０４ａと、紙幣入出金装置４０６の前方に位置付けられる第２のフロントパネル４０４ｂと、レシートプリンタ（図示せず）の前方に位置付けられる第３のフロントパネル４０４ｃとにより構成されていて、これらはいずれも、第３のハウジング４０２に垂直軸周りに回動開閉自在に取り付けられている。また、第１のフロントパネル４０４ａ、第２のフロントパネル４０４ｂ及び第３のフロントパネル４０４ｃにはそれぞれ錠４１９ａ、４１９ｂ及び４１９ｃが設けられており、鍵（図示せず）で施錠することができるようになっている。
【００２４】
図２は、第１のフロントパネル４０４ａのみが開かれ硬貨入出金装置４０５が引き出された状態の決済操作ユニット４０１の一部を示す斜視図である。第３のハウジング４０２に内蔵されている硬貨入出金装置４０５は、縦型リサイクル式のもので、商品コード入力後の商品の現金決済のうち硬貨による決済を担当する。この硬貨入出金装置４０５は、いずれも縦方向に細長い形状を有し横並びに隣接する硬貨収納機４０５ａ及び硬貨リフタ４０５ｂと、硬貨収納機４０５ａの下方に位置付けられる金庫４０５ｃとにより構成されている。
【００２５】
硬貨収納機４０５ａは、硬貨入金口４０７を上端に有しており、この硬貨入金口４０７から入金された硬貨の金種や正偽を判別して、偽貨を収納することなく硬貨出金口４０８（後述）から排出するとともに、硬貨を金種別に振り分けて収納する。このような金種判別及び正偽判別を行うため、硬貨入金口４０７には硬貨を一枚ずつ入金することが推奨される。そのような事情から、硬貨入出金装置４０５に設けられている硬貨入金口４０７は、硬貨の複数枚の一括投入を許容せず、硬貨の一枚ずつの入金を許容するよう、小さく開口形成されている。硬貨収納機４０５ａに硬貨が満杯に収納されている場合、新たに硬貨入金口４０７から入金された硬貨は、金庫４０５ｃに落下して収納される。
【００２６】
硬貨リフタ４０５ｂは、硬貨収納機４０５ａに収納されている硬貨を上端まで持ち上げて、硬貨リフタ４０５ｂの上部に設けられた硬貨出金口４０８からその硬貨を払い出す。硬貨リフタ４０５ｂは、モータの駆動により回転するローラ対を有している。このローラ対のそれぞれには搬送ベルトが張力をもって掛け渡されていて、搬送ベルト対は硬貨を挟持できる間隔に離間して並行に設けられている。そして、硬貨リフタ４０５ｂでは、硬貨収納機４０５ａから送り出されて搬送ベルト対の間に挟み込まれた硬貨が、モータの駆動によって持ち上げられて、硬貨出金口４０８に払い出される。
【００２７】
このような硬貨収納機４０５ａ、硬貨リフタ４０５ｂ及び金庫４０５ｃにより構成される硬貨入出金装置４０５には、レール体４５１が、決済操作ユニット４０１の前面から奥に向かって水平に取り付けられている。また、第３のハウジング４０２の内部には、このレール体４５１に嵌合される形状のレール受部（図示せず）が取り付けられている。レール受部は、硬貨入出金装置４０５に取り付けられたレール体４５１に嵌合されることで硬貨入出金装置４０５を支持し、この硬貨入出金装置４０５を、開口部４５０を通過させて決済操作ユニット４０１の前面方向に引出収納自在にする。
【００２８】
硬貨入出金装置４０５の上方には、入金用硬貨ガイド４５２と出金用硬貨ガイド４５３とが取り付けられている。入金用硬貨ガイド４５２は、第１のフロントパネル４０４ａの上方位置に設けられている硬貨の一枚分の通過を許容する大きさに縦長に開口形成された硬貨スリット４０７ａと、硬貨入出金装置４０５の硬貨入金口４０７とを連絡し、硬貨スリット４０７ａから入金された硬貨を硬貨入金口４０７に導く。また、出金用硬貨ガイド４５３は、第１のフロントパネル４０４ａにおいて硬貨スリット４０７ａよりも下方位置に設けられている受皿４０８ａと、硬貨入出金装置４０５の硬貨出金口４０８とを連絡し、硬貨出金口４０８から排出された硬貨を受皿４０８ａに払い出す。
【００２９】
また、図２中、入金用硬貨ガイド４５２の上方に設けられているのは、硬貨フィーダ５０１である。硬貨フィーダ５０１は、複数枚の硬貨を一括投入可能な硬貨受入部５０２を有し、この硬貨受入部５０２に投入された硬貨を一枚ずつ分離して入金用硬貨ガイド４５２に送り出す装置である。店員は、第１のフロントパネル４０４ａを開けて、開口部４５０を通過させて硬貨入出金装置４０５を第３のハウジング４０２から引出し、この硬貨フィーダ５０１の硬貨受入部５０２に複数枚の硬貨を一括投入することで、第１のフロントパネル４０４ａを閉めたまま硬貨スリット４０７ａから硬貨を一枚ずつ投入するよりも効率的に、硬貨入出金装置４０５にお釣りとなる硬貨を補充することができる。
【００３０】
図３は、第２のフロントパネル４０４ｂのみが開かれた状態の決済操作ユニット４０１の一部を示す斜視図である。第３のハウジング４０２に内蔵されている紙幣入出金装置４０６は、縦型リサイクル式のものであり、商品コード入力後の商品の現金決済のうち紙幣による決済を担当する。紙幣入出金装置４０６は、上から順に、紙幣入金口４０９及び液晶表示部４１４を有する紙幣入金ユニット４１５、リサイクル庫４１７、紙幣出金口４１０を有する紙幣出金ユニット４１６、金庫４１８が配列されて構成されている。リサイクル庫４１７及び金庫４１８は、前面方向に引出収納自在となるように第３のハウジング４０２に取り付けられている。紙幣入金ユニット４１５の紙幣入金口４０９は、第２のフロントパネル４０４ｂの上方位置に設けられた紙幣スリット４０９ａに連絡されている。紙幣出金ユニット４１６に設けられた紙幣出金口４１０は、第２のフロントパネル４０４ｂの紙幣スリット４０９ａの下方に設けられた紙幣払出口４１０ａに連絡されている。
【００３１】
また、レシートプリンタ（図示せず）は、第３のハウジング４０２の左側上方で、第３のフロントパネル４０４ｃによってのみ覆われる位置に内蔵されている。そして、レシートプリンタから発行されたレシート（図示せず）は、第３のフロントパネル４０４ｃに設けられたレシート排出口４１２ａから排出される。
【００３２】
また、第１のフロントパネル４０４ａで受皿４０８ａの下方に取り付けられているのは、クレジットカード（図示せず）による決済を行うためのクレジットカード決済端末４２０である。このクレジットカード決済端末４２０は、商品コード入力後の商品のクレジットカードによる決済を担当する。
【００３３】
図２及び図３に示すように、決済操作ユニット４０１の第３のハウジング４０２の前面の開口部４５０は、開口部下端が秤ユニット３０１に隠されないよう計量台３０３の高さ位置よりも僅かに高い位置とし、開口部上端が第３のハウジング４０２の上面より僅かに低い高さ位置となるよう、この決済操作ユニット４０１の前面一杯に開口している。そして、その開口部４５０を覆い隠すように、フロントパネル４０４が決済操作ユニット４０１の第３のハウジング４０２の前面全体に設けられている。そして、図２及び図３では、図１とは異なり、右側袋掛部材３０６ａ及び左側袋掛部材３０６ｂが秤ユニット３０１の計量台３０３の上面に倒された状態にある様子が示されている。これは、右側袋掛部材３０６ａ及び左側袋掛部材３０６ｂが立設状態のままだと、フロントパネル４０４が回動できないからである。
【００３４】
再び図１を参照して、秤ユニット３０１と決済操作ユニット４０１との関係について述べる。秤ユニット３０１の計量台３０３の上面に設けられる右側袋掛部材３０６ａ及び左側袋掛部材３０６ｂは、商品を収納可能な買物袋６５１をセットするために用いられる。右側袋掛部材３０６ａは、第１のフロントパネル４０４ａの前方に設けられている。左側袋掛部材３０６ｂは、第２のフロントパネル４０４ｂの前方に設けられている。そして、右側袋掛部材３０６ａと左側袋掛部材３０６ｂとは、秤ユニット３０１の計量台３０３に対向配置して設けられており、その間には商品載置空間３０８が形成されている。
【００３５】
右側袋掛部材３０６ａ及び左側袋掛部材３０６ｂはいずれも、複数本のワイヤ３０９が折り曲げられたり溶接されたりして形成されている。これらの右側袋掛部材３０６ａ及び左側袋掛部材３０６ｂの上部には、いずれも、買物袋６５１に設けられた一対の把手６５２を引っ掛けて買物袋６５１を開口状態に保持する保持機構としての引掛け部３０７ａ及び３０７ｂが形成されている。買物袋６５１は、立設状態にある右側袋掛部材３０６ａの引掛け部３０７ａ、及び、立設状態の左側袋掛部材３０６ｂの引掛け部３０７ｂのそれぞれに把手６５２が引っ掛けられることで、右側袋掛部材３０６ａ及び左側袋掛部材３０６ｂに開口状態で保持されて商品載置空間３０８に位置付けられる。
【００３６】
ここで、図１に示すように、買物袋保持部としての右側袋掛部材３０６ａ及び左側袋掛部材３０６ｂが立設状態にある場合、店員が錠４１９ａ及び４１９ｂを開錠して第１のフロントパネル４０４ａや第２のフロントパネル４０４ｂを回動しても開口部４５０を開放することができない。これは、第１のフロントパネル４０４ａや第２のフロントパネル４０４ｂが回動すると、右側袋掛部材３０６ａや左側袋掛部材３０６ｂに干渉するためである。計量台３０３でこのような位置に右側袋掛部材３０６ａ及び左側袋掛部材３０６ｂが取り付けられているのは、顧客が購入しようとする商品のチェックアウト作業を行っている間のみ買物袋６５１が開口状態で取り付けられていれば十分であり、この間に店員がフロントパネル４０４を開放して第３のハウジング４０２内の硬貨入出金装置４０５や紙幣入出金装置４０６から紙幣や硬貨を回収したり、これらの装置に対しお釣りとなる紙幣や硬貨を補充したり、これらの装置に対するメンテナンスを行ったりすることが想定されないためである。また、フロントパネル４０４を回動して開口部４５０を開放する場合、買物袋６５１が右側袋掛部材３０６ａ及び左側袋掛部材３０６ｂに取り付けられることは想定されない。このようなことから、本実施の形態のセルフチェックアウト端末１０１では、買物袋６５１を開口状態で位置付けるための専用の空間と、フロントパネル４０４を回動するために必要となる専用の空間とを独自に設けることなく、秤ユニット３０１の計量台３０３の上方空間を買物袋６５１を開口状態で位置付ける用途とフロントパネル４０４を回動するための用途とで共用させることで、セルフチェックアウト端末１０１の大きさを小さくし、店舗におけるセルフチェックアウト端末１０１の設置面積の縮小化を図っている。
【００３７】
図４は、右側袋掛部材３０６ａ及び左側袋掛部材３０６ｂが退避位置に位置付けられた状態の秤ユニット３０１を示す斜視図である。本実施の形態のセルフチェックアウト端末１０１では、右側袋掛部材３０６ａや左側袋掛部材３０６ｂは、第１のフロントパネル４０４ａ及び第２のフロントパネル４０４ｂの開閉に干渉しない退避位置まで変位自在に秤ユニット３０１に取り付ける第１取付機構としての下部機構７０１が備わっている。この下部機構７０１により、右側袋掛部材３０６ａや左側袋掛部材３０６ｂを退避位置に位置付けることが可能になり、第１のフロントパネル４０４ａ、第２のフロントパネル４０４ｂを回動させて開口部４５０を開放することができるようになる。
【００３８】
本実施の形態における下部機構７０１は、右側袋掛部材３０６ａや左側袋掛部材３０６ｂを、秤ユニット３０１の計量台３０３に当接するまで回動自在に計量台３０３に取り付ける下部機構７０１である。
【００３９】
図５は、下部機構７０１を示す分解斜視図である。下部機構７０１は、金属製の円錐台形状の基部７０２を基礎とする。基部７０２の底面は、計量台３０３に形成された凹部３０４を覆う位置で、溶接等によって計量台３０３の上面に取り付けられる。基部７０２と計量台３０３との間には、凹部３０４に収納させて、下方から順にスプリング７０３、進退部材７０４が配置される。スプリング７０３は、進退部材７０４の下面に接触して進退部材７０４を上方に付勢する。進退部材７０４は、上面に突起７０５が設けられており、この突起７０５のみが基部７０２の上面から突出する（図６参照）。つまり、基部７０２の上面には、突起７０５のみを通過させ進退部材７０４の抜け止めを塞ぐ形状の抜け止め孔７０６（図６参照）が設けられている。
【００４０】
基部７０２の上面には、平面視Ｕ字形状のシャフト受け７０７が突出している。シャフト受け７０７の対向する両側面には、シャフト７０８が貫通可能なシャフト孔７０９が形成されている。シャフト受け７０７の内側には、右側袋掛部材３０６ａや左側袋掛部材３０６ｂを構成するワイヤ３０９が位置付けられる。ワイヤ３０９は、端部に進退部材７０４の突起７０５が嵌合可能な嵌合孔３１０が形成されており、また、側面にはシャフト７０８が遊嵌可能に形成された長尺の遊嵌孔３１１が貫通されている。そこで、ワイヤ３０９は、嵌合孔３１０が基部７０２の上面から突出する進退部材７０４の突起７０５に嵌合され、遊嵌孔３１１がシャフト孔７０９に通されたシャフト７０８に貫通される向きに、シャフト受け７０７の内側に位置付けられる。このようにワイヤ３０９がシャフト受け７０７の内部に位置付けられた状態で、シャフト７０８がシャフト孔７０９を貫通し、そのシャフト７０８の両端にシール部材７１０が取り付けられてシャフト７０８の抜け止めが防がれることにより、ワイヤ３０９は計量台３０３に対し、シャフト７０８の軸回り方向に回動自在に取り付けられることになる。シャフト受け７０７は、Ｕ字形状に形成されており、このため、ワイヤ３０９は、シャフト受け７０７の開口側にのみ回動することができる。
【００４１】
基部７０２のテーパ部には、操作レバー７１１を挿入するための挿入孔７１２が形成されている。操作レバー７１１は、プラスチック等の弾性を有する素材で形成され、挿入孔７１２に挿入される先端部７１３と、先端部７１３が挿入孔７１２に挿入された状態で計量台３０３の上面に接触する接触部７１４と、上方に突出し操作者により操作される操作部７１５とを備えている。先端部７１３の下面側には、操作レバー７１１の先端部７１３が挿入孔７１２に挿入された際の抜け止めを防ぐ抜け止め突起７１６が設けられている。操作レバー７１１の先端部７１３が挿入孔７１２に挿入されると、その先端部７１３は進退部材７０４の側面に設けられた当接斜面７１７に当接し、操作レバー７１１の接触部７１４は計量台３０３の上面に接触した状態となる。操作レバー７１１の操作部７１５は、先端部７１３や接触部７１４から上方に立ち上がり、接触部７１４方向に曲げられて延出している箇所である。操作者は、この操作部７１５を押し込むことにより、先端部７１３を挿入孔７１２の奥側に押し込んで、進退部材７０４を下方に押し下げることができる。
【００４２】
図６は、下部機構７０１を示す断面図である。操作者が操作レバー７１１の操作部７１５を押下していない状態（図６（ａ））では、スプリング７０３は進退部材７０４を押し上げていて、進退部材７０４の上端の突起７０５は、基部７０２の上面の抜け止め孔７０６から上方に突出している。この突出した突起７０５は、鉛直方向に向けられているワイヤ３０９の嵌合孔３１０に嵌合し、ワイヤ３０９は立設状態に固定される。すなわち、操作レバー７１１が押下されていない状態では、右側袋掛部材３０６ａや左側袋掛部材３０６ｂが立設状態となって買物袋６５１を取り付け可能になり、かつ、フロントパネル４０４の開閉に干渉する位置に位置付けられる。ここに、右側袋掛部材３０６ａや左側袋掛部材３０６ｂを構成するワイヤ３０９の端部の嵌合孔３１０と、基部７０２の抜け止め孔７０６と、進退部材７０４の突起７０５とは、位置決め機構７１８を構成している。
【００４３】
操作者７１９が操作レバー７１１の操作部７１５を押下している状態（図６（ｂ））では、操作レバー７１１の先端部７１３は、進退部材７０４の当接斜面７１７を下方に押し下げる。その結果、進退部材７０４の突起７０５は、基部７０２の上面の抜け止め孔７０６から下方に没してワイヤ３０９の嵌合孔３１０から外れ、右側袋掛部材３０６ａや左側袋掛部材３０６ｂは自由に回動できるようになる。また、操作者７１９が操作レバー７１１の操作部７１５を押下すると、接触部７１４は計量台３０３の上面に接触して撓んだ状態となる。そして、操作者７１９が操作レバー７１１の操作部７１５の押下を止めると、接触部７１４はその弾性により元の形状に戻ろうとし、先端部７１３を図６（ａ）に示す位置に復帰させる。その結果、スプリング７０３は進退部材７０４を押し上げて進退部材７０４の突起７０５を基部７０２の抜け止め孔７０６に貫通させる。このように、操作レバー７１１は、操作者７１９の操作によって買物袋保持部としての右側袋掛部材３０６ａ及び左側袋掛部材３０６ｂの回動変位を選択的にロック又はアンロックする操作機構としての役割を果たす。
【００４４】
以上のように構成される本実施の形態のセルフチェックアウト端末１０１を用い、顧客が行う、購入しようとする商品についてのチェックアウト作業の流れについて、図１に基づいて説明する。顧客は、購入しようとする商品を、例えば店舗側が用意している買物籠に入れ、これを商品載置台２０７に置き、一取引の開始を宣言するために、秤ユニット３０１が内蔵するコントローラ（図示せず）が行う処理によってディスプレイ２０５に表示される指示に従いタッチパネル２０６をタッチする。宣言後、顧客は、商品載置台２０７に置いた買物籠から商品を一品ずつ取り出してその商品に付されているバーコード等のコードシンボルをスキャナ２０４の読取面２０４ａにかざし商品コードを読み取らせ、秤ユニット３０１の計量台３０３に載置する。コントローラは、個々の商品コードに対応させて単価と重量とを記憶する商品データファイル（図示せず）から、スキャナ２０４によって読み取られた商品コードに対応する単価と重量とを検索する検索処理を実行する。ここで、計り売り商品の場合、コントローラは、登録操作ユニット２０１に内蔵されているスケール（図示せず）の計量台２０３に商品を載せてその重量を計量し、検索処理で検索された単価と計量された重量とに基づいて金額を求める。続いて、コントローラは、スキャナ２０４による商品コードの読み取り後に秤ユニット３０１が内蔵する秤装置（図示せず）が出力する重量値が、検索処理によって取得した重量値又はスケールが計量した重量値と一致しているかどうかを判定する重量チェック処理を実行する。同一性を有していると判定した場合にのみ、コントローラは、読み取った商品コードと検索された単価とを含む商品情報を記憶部（図示せず）に記憶させる商品情報登録処理を実行する。
【００４５】
購入しようとする全ての商品についてその商品コードの読み取り操作を終了する場合、顧客は、ディスプレイ２０５に表示されている指示に従って、タッチパネル２０６をタッチすることによって一取引の終了を宣言する。コントローラは、この一取引の終了の宣言に伴い、顧客に向けた各種の決済方法の案内をディスプレイ２０５に表示する。顧客が現金による決済を行うことをタッチパネル２０６から宣言した場合、顧客は、ディスプレイ２０５に表示される案内に従い、購入商品の代金分の現金（紙幣や硬貨）を硬貨スリット４０７ａや紙幣スリット４０９ａから投入する。また、顧客がクレジットカードによる決済を行うことをタッチパネル２０６から宣言した場合、顧客は、ディスプレイ２０５に表示される案内に従い、クレジットカード決済端末４２０にクレジットカード（図示せず）の磁気情報を読み取らせる。コントローラは、現金の投入やクレジットカードの磁気情報の読み取りを通じて購入商品の決済を完了したと判定すると、レシートプリンタ（図示せず）を駆動制御してレシート（図示せず）をレシート排出口４１２ａから印字発行させ、必要に応じて硬貨入出金装置４０５や紙幣入出金装置４０６を駆動しお釣りとしての硬貨や紙幣を受皿４０８ａや紙幣払出口４１０ａに払い出させる。顧客は、発行されたレシートや払い出されたお釣りとしての硬貨及び紙幣を受け取り、一取引を終了する。
【００４６】
このようなチェックアウト作業を顧客がなるべく少ない動きで完了できるよう、本実施の形態のセルフチェックアウト端末１０１では、登録操作ユニット２０１よりも高さ寸法が小さく形成された秤ユニット３０１が登録操作ユニット２０１の右隣に横並びに配置されていて、その秤ユニット３０１の上面には、買物袋６５１を開口状態で保持できる右側袋掛部材３０６ａ及び左側袋掛部材３０６ｂが設けられている。そして、顧客は、予め右側袋掛部材３０６ａや左側袋掛部材３０６ｂに買物袋６５１を開口状態で取り付けておき、商品載置台２０７に買物籠を載置し、その買物籠からの商品を取り出して登録操作ユニット２０１のスキャナ２０４にかざす動きに沿って手を動かすことで、右側下方の位置する開口状態の買物袋６５１に商品コード入力後の商品を投入することができる。さらに、顧客は、商品コード入力後の商品を投入した買物袋６５１の上方に位置する硬貨スリット４０７ａ、紙幣スリット４０９ａ及びクレジットカード決済端末４２０を用いて、購入商品の決済を行うことができる。このように、本実施の形態のセルフチェックアウト端末１０１では、登録操作ユニット２０１の横並び位置及び決済操作ユニット４０１の前方に買物袋６５１の設置用空間が確保されており、顧客による商品のチェックアウト作業の効率化を図ることができる。
【００４７】
以上のような顧客によるチェックアウト作業が繰り返され、硬貨入出金装置４０５や紙幣入出金装置４０６に収納された現金（紙幣や硬貨）が満杯になったり、お釣りとなる現金（紙幣や硬貨）が不足したりすると、セルフチェックアウト端末１０１に備わるコントローラは、警告ポール２０９を駆動して報知を行う。また、この報知は、セルフチェックアウト端末１０１にＬＡＮネットワーク（図示せず）を介して接続されている店舗内の店員用端末（図示せず）に報知信号を送信し、店員用端末のディスプレイにセルフチェックアウト端末１０１において現金回収すべき旨やお釣りとなる現金が不足している旨の情報が表示されることによってなされてもよい。また、セルフチェックアウト端末１０１に備わるコントローラは、セルフチェックアウト端末１０１内に収納されている機器に何かしらのエラーが発生した場合にも、このような報知を行う。そして、店員は、警告ポール２０９の駆動や店員用端末のディスプレイに示された情報を確認した場合、フロントパネル４０４を開錠するための鍵を携えて決済操作ユニット４０１に赴き、錠４１９ａ、４１９ｂ及び４１９ｃを開錠して第３のハウジング４０２に内蔵された装置に対する作業を行う。硬貨入出金装置４０５に関しては、図３に示したように、前面方向に引き出すことも可能であり、店員はより一層容易に硬貨入出金装置４０５に対する硬貨回収や硬貨補充、保守メンテナンスを行うことができる。
【００４８】
本実施の形態のセルフチェックアウト端末１０１では、決済操作ユニット４０１に設けられたフロントパネル４０４は、三つのパネルによって構成され、それぞれ独立して回動させることができるため、店員は、例えば、第１のフロントパネル４０４ａのみを開放させることで硬貨入出金装置４０５のみを露出させて作業を行うことができ、防犯性を高めることができる。
【００４９】
また、本実施の形態のセルフチェックアウト端末１０１では、決済操作ユニット４０１の開口部４５０が前面側に設けられているため、店員は、セルフチェックアウト端末１０１の裏面側や側面側に回りこむことなく、紙幣入出金装置４０６や硬貨入出金装置４０５に対する紙幣や硬貨の回収及び補充の作業、これらの装置の保守メンテナンス作業等の、ハウジング内部の装置に対する作業を行うことができる。このため、本実施の形態のセルフチェックアウト端末１０１は、店舗の壁際に配置することができ、店舗内空間の有効活用を図ることが可能になる。
【００５０】
そして、本実施の形態のセルフチェックアウト端末１０１では、秤ユニット３０１の計量台３０３に設けられた右側袋掛部材３０６ａ及び左側袋掛部材３０６ｂを、店員が操作レバー７１１の操作部７１５を操作して計量台３０３の上面に当接する位置まで回動することで、右側袋掛部材３０６ａ及び左側袋掛部材３０６ｂをフロントパネル４０４の開閉に干渉しない退避位置に位置付けることができる。すなわち、本実施の形態のセルフチェックアウト端末１０１では、決済操作ユニット４０１の前方に位置し秤ユニット３０１の計量台３０３の上方空間は、顧客により商品のチェックアウト作業が行われる間では買物袋６５１の設置するための空間として活用されて顧客による商品のチェックアウト作業の効率化に役立つとともに、店員が第３のハウジング４０２内部の装置に対する作業を行う際にはフロントパネル４０４を開閉させるための空間として活用される。このため、本実施の形態のセルフチェックアウト端末１０１では、決済操作ユニット４０１の前面の開口部４５０を大きく形成することが可能になり、従って、顧客による商品のチェックアウト作業の効率化と店員によるハウジング内部の装置に対する作業の効率化とを図ることができ、さらには、決済操作ユニット４０１の前方の空間領域を複数用途で活用することでセルフチェックアウト端末１０１の設置面積の縮小化を実現することができる。
【００５１】
次いで、本発明の別の実施の一形態（第二の実施の形態）について、図７及び図８に基づいて説明する。この場合、第一の実施の形態と同一の部分は同一の符号で示し、説明も省略する。
【００５２】
図７は、秤ユニット３０１を示す斜視図である。本実施の形態の秤ユニット３０１の計量台３０３には、右側袋掛部材３０６ａ及び左側袋掛部材３０６ｂを取り付けるための取付板３１２が積層されている。そして、この取付板３１２と計量台３０３とは、計量台３０３の前方側の側面でヒンジ３１３によって回動自在に接続されている。つまり、本実施の形態では、取付板３１２とヒンジ３１３とが第２取付機構を構成し、買物袋保持部としての右側袋掛部材３０６ａ及び左側袋掛部材３０６ｂを、秤ユニット３０１の前方位置まで回動可能に、秤ユニット３０１の幅方向に延びる水平軸回りに回動自在に秤ユニット３０１に取り付けている。
【００５３】
図８は、右側袋掛部材３０６ａ及び左側袋掛部材３０６ｂが退避位置に位置付けられた状態の秤ユニット３０１を示す斜視図である。本実施の形態のセルフチェックアウト端末１０１では、右側袋掛部材３０６ａ及び左側袋掛部材３０６ｂが計量台３０３に沿うように倒れこむのではなく、図８に示すように、右側袋掛部材３０６ａ及び左側袋掛部材３０６ｂを持ち上げて取付板３１２ごと秤ユニット３０１の前方に位置付けることで、右側袋掛部材３０６ａ及び左側袋掛部材３０６ｂをフロントパネル４０４の開閉に干渉させないようにすることができる。
【００５４】
本実施の形態のセルフチェックアウト端末１０１によっても、決済操作ユニット４０１の前方に位置し秤ユニット３０１の計量台３０３の上方空間は、顧客による商品のチェックアウト作業における買物袋６５１の設置用空間としても、店員が第３のハウジング４０２内部の装置に対する作業を行う際にフロントパネル４０４を開放するための空間としても活用され、顧客による商品のチェックアウト作業の効率化と店員によるハウジング内部の装置に対する作業の効率化とを図りつつ、セルフチェックアウト端末の設置面積の縮小化を実現することができる。さらに、本実施の形態のセルフチェックアウト端末１０１によれば、第一の実施の形態における下部機構７０１（図５及び図６参照）のような複雑な構造の部品を用いることなく、右側袋掛部材３０６ａ及び左側袋掛部材３０６ｂを秤ユニット３０１に変位自在に取り付けることができる。
【００５５】
次いで、本発明の別の実施の一形態（第三の実施の形態）について、図９及び図１０に基づいて説明する。この場合、第一の実施の形態及び第二の実施の形態と同一の部分は同一の符号で示し、説明も省略する。
【００５６】
図９は、秤ユニット３０１を示す斜視図である。本実施の形態の右側袋掛部材３０６ａ及び左側袋掛部材３０６ｂは、秤ユニット３０１の計量台３０３に、秤ユニット３０１の幅方向にスライド自在に取り付けられている。この右側袋掛部材３０６ａ及び左側袋掛部材３０６ｂのスライド移動を実現しているのは、計量台３０３の上面に秤ユニット３０１の幅方向に向けられた一対のレール３１４である。レール３１４には、右側袋掛部材３０６ａや左側袋掛部材３０６ｂを構成するワイヤ３０９の端部が嵌合できる形状の溝が長手方向に切られている。また、このワイヤ３０９の端部は、レール３１４の溝から抜けないよう抜け止めが施されている。すなわち、本実施の形態では、レール３１４が第３取付機構を構成し、買物袋保持部としての右側袋掛部材３０６ａ及び左側袋掛部材３０６ｂの一方を他方に向けてスライド自在に、右側袋掛部材３０６ａ及び左側袋掛部材３０６ｂを秤ユニット３０１の計量台３０３に取り付けている。
【００５７】
図１０は、右側袋掛部材３０６ａ及び左側袋掛部材３０６ｂをスライド移動させた状態の秤ユニット３０１を示す斜視図である。本実施の形態のセルフチェックアウト端末１０１では、店員が、右側袋掛部材３０６ａを把持して左側袋掛部材３０６ｂ寄りにスライド移動させることで、決済操作ユニット４０１の前面に設けられているフロントパネル４０４のうち右側に位置する第１のフロントパネル４０４ａを回動して第３のハウジング４０２内に収納されている硬貨入出金装置４０５（図２参照）に対する作業を行うことができるようになる（図１０（ａ））。
【００５８】
また、本実施の形態のセルフチェックアウト端末１０１では、店員が、左側袋掛部材３０６ｂを把持して右側袋掛部材３０６ａ寄りにスライド移動させることで、決済操作ユニット４０１の前面に設けられているフロントパネル４０４のうち左側に位置する第２のフロントパネル４０４ｂを回動して第３のハウジング４０２内に収納されている紙幣入出金装置４０６（図３参照）に対する作業を行うことができるようになる（図１０（ｂ））。
【００５９】
本実施の形態のセルフチェックアウト端末１０１によっても、秤ユニット３０１の計量台３０３の上方空間は、顧客による商品のチェックアウト作業における買物袋６５１の設置用空間としても、店員が第３のハウジング４０２内部の装置に対する作業を行う際にフロントパネル４０４を開放するための空間としても活用され、顧客による商品のチェックアウト作業の効率化と店員によるハウジング内部の装置に対する作業の効率化とを図りつつ、セルフチェックアウト端末の設置面積の縮小化を実現することができる。さらに、本実施の形態のセルフチェックアウト端末１０１によれば、右側袋掛部材３０６ａ及び左側袋掛部材３０６ｂを動かす際には、第二の実施の形態のように大掛かりにならず、秤ユニット３０１の幅方向に力を加えるだけで十分であって、力の弱い店員にとっても作業が容易になる。
【図面の簡単な説明】
【００６０】
【図１】第一の実施の形態における、セルフチェックアウト端末を示す斜視図である。
【図２】第１のフロントパネルのみが開かれ硬貨入出金装置が引き出された状態の決済操作ユニットの一部を示す斜視図である。
【図３】第２のフロントパネルのみが開かれた状態の決済操作ユニットの一部を示す斜視図である。
【図４】左側袋掛部材及び右側袋掛部材が退避位置に位置付けられた状態の秤ユニットを示す斜視図である。
【図５】下部機構を示す分解斜視図である。
【図６】下部機構を示す断面図である。
【図７】第二の実施の形態における、秤ユニットを示す斜視図である。
【図８】左側袋掛部材及び右側袋掛部材が退避位置に位置付けられた状態の秤ユニットを示す斜視図である。
【図９】第三の実施の形態における、秤ユニットを示す斜視図である。
【図１０】左側袋掛部材及び右側袋掛部材をスライド移動させた状態の秤ユニットを示す斜視図である。
【符号の説明】
【００６１】
２０１…登録操作ユニット（操作ブロック）、２０４…スキャナ（商品コード入力部）、３０１…秤ユニット（載置ブロック）、３０３…計量台（商品載置部）、
３０６ａ…右側袋掛部材（買物袋保持部）、３０６ｂ…左側袋掛部材（買物袋保持部）、３０７ａ，３０７ｂ…引掛け部（保持機構）、３１２…取付板（第２取付機構）、３１３…ヒンジ（第２取付機構）、３１４…レール（第３取付機構）、４０１…決済操作ユニット（決済ブロック）、４０２…第３のハウジング（ハウジング）、４０４…フロントパネル、４０５…硬貨入出金装置、４０６…紙幣入出金装置、４５０…開口部、７０１…下部機構（第１取付機構）、７１１…操作レバー（操作機構）、７１８…位置決め機構
【図１】
2010033381.tif 000003
【図２】
2010033381.tif 000004
【図３】
2010033381.tif 000005
【図４】
2010033381.tif 000006
【図５】
2010033381.tif 000007
【図６】
2010033381.tif 000008
【図７】
2010033381.tif 000009
【図８】
2010033381.tif 000010
【図９】
2010033381.tif 000011
【図１０】
2010033381.tif 000012